(57)【要約】【課題】回転バケットを内径の異なる他の回転バケットに交換しても、ボトル商品をスライダーから回転バケットに円滑に移動することのできるボトル商品の自動販売機を提供する。【解決手段】回転バケット３０は内径の異なる交換用回転バケット８０に交換可能であることから、回転バケット３０を交換用回転バケット８０に交換することにより、外径の小さいボトル商品Ａの交換用回転バケット８０内における転倒が防止され、ボトル商品Ａの搬出を円滑に行う上で有利である。また、交換用回転バケット８０の載置部８１の外径は回転バケット３０の載置部３１の外径と等しく、回転バケット３０を交換用回転バケット８０に交換しても、スライダー２０の前端と交換用回転バケット８０の載置部８１との隙間が大きくなることがないので、ボトル商品Ａの搬出を円滑に行う上で極めて有利である。【選択図】図１２
2007286764.tif 000002
【特許請求の範囲】
【請求項１】
前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品を前方に向かって移動可能に支持するスライダーと、スライダーの前方に配置されるように収容ラックに着脱自在に取付けられ、周方向の一部に開口部を有する略筒状の回転バケットと、回転バケットを回転させる駆動機構とを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記回転バケットを、スライダーの前端と略等しい高さ位置に設けられ、スライダーから送り出されるボトル商品を載置可能な載置部と、載置部の上面から上方に向かって延びるように設けられ、周方向の一部に前記開口部を有する筒状部とから構成するとともに、回転バケットを異なる内径の筒状部を有する他の回転バケットと交換可能に構成し、
回転バケットの載置部の外径を前記他の回転バケットの載置部の外径と等しくなるように形成した
ことを特徴とするボトル商品の自動販売機。
【請求項２】
前記回転バケットの下端が収容ラックによって回転可能に支持されるとともに、回転バケットの上端に駆動機構の駆動シャフトが挿入され、駆動機構が取付部材によって収容ラックに着脱自在に取付けられるように構成した
ことを特徴とする請求項１記載のボトル商品の自動販売機。
【請求項３】
前記スライダーの前端を回転バケットの載置部の外周面に沿うように形成した
ことを特徴とする請求項１または２記載のボトル商品の自動販売機。
【請求項４】
前記商品通路の幅方向両側の側壁にそれぞれ着脱自在に取付けられることにより、商品通路の幅寸法を調整するスペーサを備えた
ことを特徴とする請求項１、２または３記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体に前方に向かって引き出し可能に装着され、複数のボトル商品を起立状態で前後方向に並ぶように複数列収容可能な収容ラックと、収容ラックに収容された各ボトル商品を列ごとに仕切り、収容ラック内に複数の商品通路を形成する複数の仕切板と、各商品通路に前後方向に延びるようにそれぞれ設けられるとともに、後端側から前端側に向かって下方に傾斜し、収容ラック内に収容された各ボトル商品の底面を前方に向かって移動可能に支持するスライダーと、各スライダーの前方にそれぞれ配置されるように収容ラックに設けられ、周方向の一部に開口部を有する略筒状に形成された複数の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるようにしたものが知られている（例えば、特許文献１参照。）。
【特許文献１】特開２０００−２９３７５２号公報
【発明の開示】
【発明が解決しようとする課題】
【０００３】
ところで、ボトル商品の外径はその種類によって異なるので、外径の小さいボトル商品を収容ラックに装填する場合は、回転バケットの内周面とボトル商品との間に大きな隙間が生じ、ボトル商品が回転バケット内で倒れ易くなる。このため、内径の異なる複数種類の回転バケットを準備し、収容ラックに装填するボトル商品の外径に応じて回転バケットを交換するようにしている。
【０００４】
しかしながら、回転バケットはスライダーの前方に配置され、スライダーから送り出されたボトル商品を収容するようになっているので、回転バケットの外径が小さくなると回転バケットとスライダーとの隙間が大きくなり、スライダーと回転バケットとの隙間にボトル商品が引っ掛かり易くなる。このため、ボトル商品をスライダーから回転バケットに円滑に移動させることができないという問題点があった。
【０００５】
本発明は前記問題点に鑑みてなされたものであり、その目的とするところは、回転バケットを内径の異なる他の回転バケットに交換しても、ボトル商品をスライダーから回転バケットに円滑に移動することのできるボトル商品の自動販売機を提供することにある。
【課題を解決するための手段】
【０００６】
本発明は前記目的を達成するために、前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品を前方に向かって移動可能に支持するスライダーと、スライダーの前方に配置されるように収容ラックに着脱自在に取付けられ、周方向の一部に開口部を有する略筒状の回転バケットと、回転バケットを回転させる駆動機構とを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記回転バケットを、スライダーの前端と略等しい高さ位置に設けられ、スライダーから送り出されるボトル商品を載置可能な載置部と、載置部の上面から上方に向かって延びるように設けられ、周方向の一部に前記開口部を有する筒状部とから構成するとともに、回転バケットを異なる内径の筒状部を有する他の回転バケットと交換可能に構成し、回転バケットの載置部の外径を前記他の回転バケットの載置部の外径と等しくなるように形成している。
【０００７】
これにより、回転バケットは筒状部の内径の異なる他の回転バケットに交換可能であることから、収容ラックに装填するボトル商品の外径に応じて回転バケットを交換することにより、回転バケット内におけるボトル商品の転倒を防止することができる。また、回転バケットの載置部はスライダーの前端と略等しい高さ位置に設けられ、回転バケットの載置部の外径は前記他の回転バケットの載置部の外径と等しいことから、回転バケットを筒状部の内径の異なる他の回転バケットに交換しても、スライダーの前端と載置部との隙間が大きくなることがない。
【発明の効果】
【０００８】
本発明によれば、回転バケットを筒状部の内径の異なる他の回転バケットに交換しても、スライダーの前端と載置部との隙間が大きくなることがないので、ボトル商品をスライダーから回転バケットに円滑に移動することができ、ボトル商品の搬出を円滑に行う上で極めて有利である。
【発明を実施するための最良の形態】
【０００９】
図１乃至図１３は本発明の一実施形態を示すもので、図１は自動販売機の斜視図、図２は収容ラックの斜視図、図３は収容ラックの平面図、図４は取付板及び駆動機構を取外した状態の収容ラックの平面図、図５はスライダー、当接部材及び回転バケットを取外した状態の収容ラックの斜視図、図６及び図７は回転バケットの取付方法を示す図、図８は収容ラックの要部平面図、図９は回転バケットの側面図、図１０は回転バケットの平面図、図１１は交換用回転バケットの側面図、図１２はスライダー及び回転バケットの平面図、図１３はボトル商品を載置した状態のスライダー、当接部材及び回転バケットの側面図である。
【００１０】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１１】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、図１における右端が自動販売機本体１に支持されている。また、前面扉２の左端には開閉のための取手２ａが設けられている。
【００１２】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する（図５参照）。
【００１３】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００１４】
前面板１２の中央部には矩形状の開口部１２ａが設けられている。また、前面板１２の上端側の背面には取付板１２ｂが設けられ、取付板１２ｂは前面板１２の背面から後方に向かって延びている。前面板１２の下端側の背面には平板状の商品受け１２ｃが設けられ、商品受け１２ｃは前面板１２の背面から後方に向かって延びている。取付板１２ｂには複数の矩形孔１２ｄが設けられ、各矩形孔１２ｄは互いに幅方向に間隔をおいて配置されている。また、各矩形孔１２ｄはそれぞれ各駆動機構３５の取付位置に対応する位置に設けられ、各矩形孔１２ｄの近傍にはネジ孔１２ｅが２つずつ設けられている。商品受け１２ｃには複数の丸孔１２ｆが設けられ、各丸孔１２ｆは互いに幅方向に間隔をおいて配置されている。
【００１５】
各スライダー２０は各商品通路１０ａごとに設けられ、商品通路１０ａ内に収容されたボトル商品Ａの底面を前方に向かって移動可能に支持している。また、各スライダー２０は、上面を平面状に形成された合成樹脂性のスライダー本体２１と、スライダー本体２１の下面に沿って設けられた金属性の補強部材２２とを有する。スライダー２０の前端は後述する回転バケット３０の載置部３１の外周面に沿うように形成されている。
【００１６】
スライダー本体２１の上面には複数の突状部２１ａが設けられ、各突状部２１ａは前後方向に延びるように設けられている。これにより、ボトル商品Ａとスライダー２０との摩擦抵抗が低減される。また、スライダー本体２１の上面の幅方向中央には前後方向に延びる凹状部２１ｂが設けられている。また、スライダー２０には当接部材４０が前後方向に移動可能に係合しており、当接部材４０は図示しない付勢部材によって前方に向かって付勢されている。
【００１７】
スライダー本体２１の前端には第１切欠部２１ｃが設けられ、スライダー本体２１の後端には第２切欠部２１ｄが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。各スライダー２０の第１切欠部２１ｃは前端支持部材６０にそれぞれ係合し、各スライダー２０の第２切欠部２１ｄは後端支持部材７０にそれぞれ係合している。即ち、各スライダー２０は各支持部材６０，７０を介して収容ラック１０に支持されている。また、第２取付孔１１ｂは各側面板１１に複数ずつ設けられ、各第２取付孔１１ｂは互いに上下方向に間隔をおいて設けられているので、後端支持部材７０の端部を他の第２取付孔１１ｂに挿通させることにより、各スライダー２０の傾斜角度を調整することができる。
【００１８】
当接部材４０はスライダー２０に載置された各ボトル商品Ａのうち最後尾のボトル商品Ａに後方から当接可能である。当接部材４０の前面はボトル商品Ａの側面に沿うように曲面状に形成されている。また、当接部材４０の下端側をスライダー２０が挿通し、当接部材４０はスライダー２０の上面に上方から係合するとともに、スライダー２０下面に下方から係合している。さらに、当接部材４０はスライダー２０の側面と幅方向に係合している。
【００１９】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。筒状部３２は外径の大きいボトル商品Ａに応じた内径を有する。
【００２０】
載置部３１の下面には円筒状のボス３１ａが設けられ、ボス３１ａは商品受け１２ｃの丸孔１２ｆに回転可能に支持されている。
【００２１】
筒状部３２の周方向の一部には開口部３２ａが設けられ、開口部３２ａは筒状部３２の外周面の一部が略半周に亘って開口することにより形成されている。筒状部３２の上端には円筒状のボス３２ｂが設けられ、ボス３２ｂは取付板１２ｂの矩形孔１２ｄに後方から当接している。矩形孔１２ｄにおけるボス３２ｂが当接する部分にはボス３２ｂの外周面に沿う凹状部１２ｇが形成されている。また、ボス３２ｂの上面の中央部には取付孔３２ｃが設けられ、取付孔３２ｃの内周面の周方向の一部は平面状に形成されている。ボス３２ｂの側面には差込孔３２ｄが設けられ、差込孔３２ｄには金属性の板状部材３２ｅが挿入されるとともに、板状部材３２ｅは差込孔３２ｄと回転バケット３０の回転方向に係合している。また、板状部材３２ｅの略中央部には取付孔３２ｆが設けられ、取付孔３２ｆはボス３２ｂの取付孔３２ｃに対応する位置に設けられている。また、取付孔３２ｆは周方向の一部が平面状に形成されている。
【００２２】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００２３】
駆動機構３５は周知の電動モータから成り、取付部材としての２本のボルト３５ａによって取付板１２ｂに着脱自在に取付けられる。ここで、各ボルト３５ａは取付板１２ｂの各ネジ孔１２ｅに螺合可能である。また、駆動機構３５には駆動シャフト３５ｂが設けられ、駆動シャフト３５ｂは駆動機構３５の下面から下方に向かって延びている。駆動シャフト３５ｂの外周面の一部は平面状に形成されている。
【００２４】
回転バケット３０は図６及び図７に示すように収容ラック１０に取付けられる。回転バケット３０を収容ラック１０に取付けるためには、先ず、回転バケット３０の下端に設けられたボス３１ａを商品受け１２ｃの丸孔１２ｆに挿入した後、回転バケット３０の上端に設けられたボス３２ｂを取付板１２ｂの矩形孔１２ｄに挿入する。また、ボス３２ｂを矩形孔１２ｄの凹状部１２ｇに後方から当接させる。続いて、ボス３２ｂの取付孔３２ｃに駆動機構３５の駆動シャフト３５ｂを挿入し、駆動シャフト３５ｂが板状部材３２ｅの取付孔３２ｆに挿入される。これにより、駆動シャフト３５ｂと各取付孔３２ｃ，３２ｆとが回転方向に係合する。続いて、駆動機構３５を各ボルト３５ａによって取付板１２ｂに取付ける。
【００２５】
ここで、駆動シャフト３５ｂは各取付孔３２ｃ，３２ｆに回転方向に係合し、取付孔３２ｆを有する板状部材３２ｅは回転バケット３２の差込孔３２ｄに回転方向に係合しているので、合成樹脂材料から成る取付孔３２ｃの破損を防止することができる。また、板状部材３２ｅを差込孔３２ｄに挿入することにより、回転バケット３０に板状部材３２ｅを設けるようにしたので、板状部材３２ｅを回転バケット３０と一体にインサート成型する場合と比較し、製造コストの削減を図ることができる。
【００２６】
一方、各回転バケット３０はそれぞれ交換用回転バケット８０と交換可能であり、交換用回転バケット８０も透明な合成樹脂材料から成る。交換用回転バケット８０は、回転バケット３０と同様の載置部８１と、載置部８１の上面から上方に延びるように設けられた略円筒形状の筒状部８２とを有する。筒状部８２の外径は回転バケット３０の筒状部３２の外径よりも小さく、筒状部８２は外径の小さいボトル商品Ａに応じた内径を有する。
【００２７】
載置部８１の下面には円筒状のボス８１ａが設けられ、ボス８１ａは回転バケット３０のボス３１ａと同様である。また、載置部８１の外径は回転バケット３０の載置部３１の外径と等しい。
【００２８】
筒状部８２の周方向の一部には開口部８２ａが設けられ、開口部８２ａは筒状部８２の外周面の一部が略半周に亘って開口することにより形成されている。筒状部３２の上端には円筒状のボス８２ｂが設けられ、ボス８２ｂは回転バケット３０のボス３２ｂと同様である。また、ボス８２ｂには回転バケット３０と同様に取付孔８２ｃ、差込孔８２ｄ及び板状部材８２ｅが設けられている。
【００２９】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００３０】
自動販売機本体１に装着された収容ラック１０に複数のボトル商品Ａを装填すると、各ボトル商品Ａは各商品通路１０ａ内に前後方向に並ぶように収容される。また、商品通路１０ａ内のボトル商品Ａはスライダー２０の傾斜によって前方に向かって移動する。
【００３１】
また、各ボトル商品Ａがスライダー２０上を前方に向かって移動すると、各ボトル商品Ａのうち最前のボトル商品Ａが回転バケット３０内に配置される（図１３参照）。ここで、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出され、回転バケット３０から搬出されたボトル商品Ａは前面扉２を開放することにより取出される。
【００３２】
ここで、外径の小さいボトル商品Ａを商品通路１０ａ内に収容すると、ボトル商品Ａは商品通路１０ａ内で幅方向に位置ずれし易いが、スライダー２０の前端は回転バケット３０の載置部３１の外周面に沿うように形成されていることから、スライダー２０の前端と回転バケット３０の載置部３１との隙間を商品通路１０ａの幅方向に亘って極力小さくすることができる。これにより、ボトル商品Ａがスライダー２０と回転バケット３０の載置部３１との隙間に引っ掛かることがないので、ボトル商品Ａの種類に拘わらず、商品通路１０ａ内のボトル商品Ａが回転バケット３０内に円滑に移動する。
【００３３】
また、ボトル商品Ａの重量や底面の摩擦係数はボトル商品Ａの種類によって異なり、ボトル商品Ａの底面の摩擦係数が大きい場合は、ボトル商品Ａが前方に向かって移動し難い。ここで、後端支持部材７０を他の第２取付孔１１ｂに取付けることにより、スライダー２０の傾斜角度を変更することができるので、例えば摩擦係数の大きいボトル商品Ａを商品通路１０ａ内に収容する場合は、スライダー２０の傾斜角度を大きくすることにより、ボトル商品Ａがスライダー２０上を前方に向かって円滑に移動し、重量が大きく摩擦係数の小さいボトル商品Ａを商品通路１０ａ内に収容する場合は、スライダー２０の傾斜角度を小さくすることにより、ボトル商品Ａの重量によって回転バケット３０に加わる負荷が軽減される。即ち、スライダー２０の途中でボトル商品Ａが止まることがないので、ボトル商品Ａの種類に拘らず、商品通路１０ａ内のボトル商品Ａが回転バケット３０内に円滑に移動する。
【００３４】
また、回転バケット３０の上端のボス３２ｂは収容ラック１０の取付板１２ｂの凹状部１２ｇに後方から当接していることから、重量が大きいボトル商品Ａを商品通路１０ａ内に収容し、各ボトル商品Ａによって回転バケット３０に大きな負荷が加わる場合でも、回転バケット３０の前方への移動が規制され、駆動機構３５の駆動シャフト３５ａに大きな負荷が加わることがない。
【００３５】
また、スライダー２０には当接部材４０が前後方向に移動可能に係合し、当接部材４０は付勢部材５０によって前方に向かって付勢されている。このため、当接部材４０はスライダー２０上の各ボトル商品Ａのうち最後尾のボトル商品Ａに後方から当接し、各ボトル商品Ａは当接部材４０によって前方に向かって付勢される。即ち、商品通路１０ａから回転バケット３０へのボトル商品Ａの移動がより円滑に行われる。
【００３６】
ここで、外径の小さいボトル商品Ａを商品通路１０ａに装填し、そのボトル商品Ａが回転バケット３０内に収容されると、回転バケット３０の筒状部３２の内周面とボトル商品Ａの外周面との間に大きな隙間が生じ、回転バケット３０内でボトル商品Ａが倒れ易くなる。このため、外径の小さいボトル商品Ａを商品通路１０ａに装填する場合は、回転バケット３０を交換用回転バケット８０に交換する。これにより、交換用回転バケット８０の筒状部８２の内周面とボトル商品Ａとの隙間が小さくなり、交換用回転バケット８０内におけるボトル商品Ａの転倒が防止される。また、交換用回転バケット８０の載置部８１の外径は回転バケット３０の載置部３１の外径と等しいことから、回転バケット３０を交換用回転バケット８０に交換しても、スライダー２０の前端と載置部８１との隙間が大きくなることがない。
【００３７】
このように、本実施形態によれば、回転バケット３０は内径の異なる交換用回転バケット８０に交換可能であることから、収容ラック１０の商品通路１０ａに装填するボトル商品Ａの外径が小さい場合は、回転バケット３０を交換用回転バケット８０に交換することにより、交換用回転バケット８０内におけるボトル商品Ａの転倒が防止され、ボトル商品Ａの搬出を円滑に行う上で有利である。
【００３８】
また、交換用回転バケット８０の載置部８１の外径は回転バケット３０の載置部３１の外径と等しく、回転バケット３０を交換用回転バケット８０に交換しても、スライダー２０の前端と交換用回転バケット８０の載置部８１との隙間が大きくなることがないので、ボトル商品Ａをスライダー２０から交換用回転バケット８０に円滑に移動することができ、ボトル商品Ａの搬出を円滑に行う上で極めて有利である。
【００３９】
また、回転バケット３０の下端が収容ラック１０の商品受け１２ｃに回転可能に支持されるとともに、回転バケット３０の上端に駆動機構３５の駆動シャフト３５ｂが挿入され、駆動機構３５は２本のボルト３５ａによって収容ラック１０の取付板１２ｂに着脱自在に取付けられているので、駆動機構３５を取付板１２ｂに着脱することにより、回転バケット３０または交換用回転バケット８０を収容ラック１０に着脱することができ、交換作業を短時間で行う上で極めて有利である。
【００４０】
また、スライダー２０の前端が回転バケット３０の載置部３１に沿うように形成されているので、スライダー２０の前端と回転バケット３０の載置部３１との隙間を商品通路１０ａの幅方向に亘って小さくすることができ、ボトル商品Ａが商品通路１０ａ内で幅方向に位置がずれる場合でも、ボトル商品Ａをスライダー２０から回転バケット３０に円滑に移動させることができる。
【００４１】
尚、ボトル商品Ａの外径に応じて商品通路１０ａの幅方向両側の側壁にそれぞれスペーサ９０を取付けることも可能である（図１４乃至図１６参照）。この場合、所定の厚み寸法を有するスペーサ９０を用いるとともに、スペーサ９０の上端部にフック９０ａを設ける。また、商品通路１０ａの側壁である仕切板１４に取付孔１４ａを設け、スペーサ９０のフック９０ａを取付孔１４ａに挿入することにより、スペーサ９０が仕切板１４に取付けられるようにする。また、スペーサ９０が商品通路１０ａの前端側に取付けられるようにする。
【００４２】
これにより、商品通路１０ａの幅方向両側の側壁にそれぞれスペーサ９０を着脱自在に取付けることが可能となり、ボトル商品Ａの外径に応じて商品通路１０ａの前端側の幅寸法を調整することができる。従って、ボトル商品Ａの外径が小さい場合でも、商品通路１０ａ内におけるボトル商品Ａの幅方向の位置ずれを防止することができる。このため、ボトル商品Ａの位置が商品通路１０ａの幅方向外側にずれると、スライダー２０から交換用回転バケット８０にボトル商品Ａが移動する際に、ボトル商品Ａが交換用回転バケット８０の筒状部８２内に円滑に移動しない場合が有るが、ボトル商品Ａが常に商品通路１０ａの幅方向中央に配置されるので、ボトル商品Ａがスライダー２０から交換用回転バケット８０に円滑に移動する。
【００４３】
尚、本実施形態では、当接部材４０がスライダー２０に前後方向に移動可能に係合するとともに、当接部材４０が付勢部材５０によって前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０及び付勢部材５０を設けないことも可能である。
【図面の簡単な説明】
【００４４】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】スライダー、当接部材及び回転バケットを取外した状態の収容ラックの斜視図
【図６】回転バケットの取付方法を示す図
【図７】回転バケットの取付方法を示す図
【図８】収容ラックの要部平面図
【図９】回転バケットの側面図
【図１０】回転バケットの平面図
【図１１】交換用回転バケットの側面図
【図１２】スライダー及び回転バケットの平面図
【図１３】ボトル商品を載置した状態のスライダー、当接部材及び回転バケットの側面図
【図１４】本実施形態の変形例を示す収容ラックの平面図
【図１５】本実施形態の変形例を示す仕切板及びスペーサの斜視図
【図１６】本実施形態の変形例を示す仕切板及びスペーサの断面図
【符号の説明】
【００４５】
１…自動販売機本体、２…前面扉、２ａ…ガラス板、１０…収容ラック、１０ａ…商品通路、１１…側面板、１１ａ…第１取付孔、１１ｂ…第２取付孔、１１ｃ…レール、１２…前面板、１２ａ…開口部、１２ｂ…取付板、１２ｃ…商品受け、１２ｄ…矩形孔、１２ｅ…ネジ孔、１２ｆ…丸孔、１２ｇ…凹状部、１３…背面板、１４…仕切板、１４ａ…取付孔、２０…スライダー、２１…スライダー本体、２１ｃ…第１切欠部、２１ｄ…第２切欠部、３０…回転バケット、３１…載置部、３１ａ…ボス、３２…筒状部、３２ａ…開口部、３２ｂ…ボス、３２ｃ…取付孔、３２ｄ…差込孔、３２ｅ…板状部材、３２ｆ…取付孔、３５…駆動機構、３５ａ…ボルト、３５ｂ…駆動シャフト、４０…当接部材、６０…前端支持部材、７０…後端支持部材、８０…交換用回転バケット、８１…載置部、８１ａ…ボス、８２…筒状部、８２ａ…開口部、８２ｂ…ボス、８２ｃ…取付孔、８２ｄ…差込孔、８２ｅ…板状部材、９０…スペーサ、９０ａ…フック、Ａ…ボトル商品。
【図１】
2007286764.tif 000003
【図２】
2007286764.tif 000004
【図３】
2007286764.tif 000005
【図４】
2007286764.tif 000006
【図５】
2007286764.tif 000007
【図６】
2007286764.tif 000008
【図７】
2007286764.tif 000009
【図８】
2007286764.tif 000010
【図９】
2007286764.tif 000011
【図１０】
2007286764.tif 000012
【図１１】
2007286764.tif 000013
【図１２】
2007286764.tif 000014
【図１３】
2007286764.tif 000015
【図１４】
2007286764.tif 000016
【図１５】
2007286764.tif 000017
【図１６】
2007286764.tif 000018